(57)【特許請求の範囲】
【請求項１】
表示部と、
被写体像を撮像して第１の画像データを生成する第１の撮像部と、
被写体像を撮像して第２の画像データを生成する第２の撮像部と、
前記第１の画像データが示す画像に前記第２の画像データが示す画像を重畳した重畳画像を少なくとも含む表示画像を、前記表示部に表示させ、前記第１の撮像部が撮像している被写体像に対する合焦動作に関する情報及び前記第２の撮像部が撮像している被写体像に対する合焦動作に関する情報を、前記重畳画像を少なくとも含む表示画像において、前記第２の画像データが示す画像上以外の位置に表示させる、制御部と、を備えた撮像装置。
【請求項２】
前記合焦動作に関する情報は、前記被写体像に対して合焦動作中である旨の情報、又は前記被写体像に対して合焦動作が完了した旨の情報である、請求項１記載の撮像装置。
【請求項３】
前記制御部は、前記第１の撮像部が撮像している被写体像に対する合焦動作に関する情報及び前記第２の撮像部が撮像している被写体像に対する合焦動作に関する情報を、それぞれ第１のマーク及び第２のマークを用いて表示させる、請求項１又は請求項２記載の撮像装置。
【請求項４】
前記合焦動作に関する情報は、前記被写体像に対して合焦動作中である旨の情報、又は前記被写体像に対して合焦動作が完了した旨の情報であり、
前記制御部は、前記第１の撮像部及び前記第２の撮像部のいずれかの撮像部が合焦動作が完了した場合、当該撮像部に対応する前記第１のマーク及び前記第２のマークのいずれかのマークの表示形態を変化させる、請求項３記載の撮像装置。
【発明の詳細な説明】
【技術分野】
【０００１】
本開示は撮像装置、撮像システムに関する。
【背景技術】
【０００２】
フォーカスレンズを自動的に動作させることにより、被写体に対して合焦させるオートフォーカス機能を備えたデジタルカメラが普及している（例えば、特許文献１）。
【先行技術文献】
【特許文献】
【０００３】
【特許文献１】特開２０１３−４６２９２号公報
【発明の概要】
【発明が解決しようとする課題】
【０００４】
オートフォーカス機能を用いたとき、被写体に対する合焦動作が完了した旨をユーザに報知するように撮像装置を構成すると、ユーザにとって利便性が高くなる。
【０００５】
複数のカメラモジュールを備えた撮像装置の場合、一つのカメラモジュールでは合焦動作が未だ完了していないが、他のカメラモジュールでは合焦動作が完了している場合が発生し得る。そのため、複数のカメラモジュールを備えた撮像装置では、合焦動作が完了した旨を、ユーザにとって確認しやすい形態で報知することが特に望まれる。
【０００６】
本開示は、複数のカメラモジュールを備えた撮像装置において、合焦動作が完了した旨を、ユーザにとって確認しやすい形態で報知する。
【課題を解決するための手段】
【０００７】
上記課題を解決するために、本開示の撮像装置は、表示部と、被写体像を撮像して第１の画像データを生成する第１の撮像部と、被写体像を撮像して第２の画像データを生成する第２の撮像部と、制御部と、を備える。制御部は、第１の画像データが示す画像に第２の画像データが示す画像を重畳した重畳画像を少なくとも含む表示画像を、表示部に表示させ、第１の撮像部が撮像している被写体像に対する合焦動作に関する情報及び第２の撮像部が撮像している被写体像に対する合焦動作に関する情報を、重畳画像を少なくとも含む表示画像において、第２の画像データが示す画像上以外の位置に表示させる。
【発明の効果】
【０００８】
本開示によれば、複数のカメラモジュールを備えた撮像装置において、合焦動作が完了した旨を、ユーザにとって確認しやすい形態で報知することができる。
【図面の簡単な説明】
【０００９】
【図１】（Ａ）実施の形態１に係るデジタルビデオカメラの外観図、（Ｂ）実施の形態１に係るデジタルビデオカメラの外観図
【図２】実施の形態１に係るデジタルビデオカメラの電気的構成を示すブロック図
【図３】実施の形態１に係るデジタルビデオカメラの静止画撮影時のフローチャート
【図４】実施の形態１に係るメインカメラによる撮影がＡＦモード、サブカメラによる撮影がＡＦモードのときの画面表示の遷移イメージ図
【図５】実施の形態１に係るメインカメラによる撮影がＡＦモード、サブカメラによる撮影がＭＦモードのときの画面表示の遷移イメージ図
【図６】実施の形態１に係るメインカメラによる撮影がＭＦモード、サブカメラによる撮影がＡＦモードのときの画面表示の遷移イメージ図
【図７】実施の形態１に係るメインカメラによる撮影がＭＦモード、サブカメラによる撮影がＭＦモードのときの画面表示の遷移イメージ図
【図８】他の実施の形態に係る合焦マークの画面表示の遷移イメージ図
【図９】他の実施の形態に係るカメラモジュールを３台備えたときの画面表示（メインカメラ合焦枠有り）の遷移イメージ図
【図１０】他の実施の形態に係るカメラモジュールを３台備えたときの画面表示（メインカメラ合焦枠無し）の遷移イメージ図
【図１１】他の実施の形態に係るメインカメラとサブカメラのそれぞれの合焦マークを表示する画面表示の遷移イメージ図
【図１２】（Ａ）〜（Ｃ）他の実施の形態に係る撮像装置の斜視図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本開示を十分に理解するために添付図面および以下の説明を提供するのであって、これらによって請求の範囲に記載の主題を限定することを意図するものではない。
【００１２】
（実施の形態１）
図１（Ａ）及び（Ｂ）は、デジタルビデオカメラ１００の外観図である。デジタルビデオカメラ１００は、カメラモジュールであるメインカメラ１７０Ｍを備えている。また、デジタルビデオカメラ１００には、筐体１７１に対して、ヒンジユニット１７２を介して表示モニタ２２０が連結されている。そして、表示モニタ２２０の一端には、回転軸機構１７３を介してサブカメラ１７０Ｓ（もう一つのカメラモジュール）が備えられている。すなわち、デジタルビデオカメラ１００は、メインカメラ１７０Ｍと、サブカメラ１７０Ｓとを備えている。デジタルビデオカメラ１００において、サブカメラ１７０Ｓは、回転軸機構１７３の軸の回りに回転し、図１（Ａ）に示すように、撮影者側を向く撮影方向から、図１（Ｂ）に示すように、メインカメラ１７０Ｍの被写体側を向く撮影方向へと、撮影方向を変えることができる。また、デジタルビデオカメラ１００において、表示モニタ２２０は、ヒンジユニット１７２を介して、筐体１７１に対して開閉したり、回転させたりすることができる。これにより、サブカメラ１７０Ｓは、撮影方向を多様に変化させることが可能となる。
【００１３】
デジタルビデオカメラ１００は、メインカメラ１７０Ｍで撮影された画像の上に、サブカメラ１７０Ｓで撮影された画像を重畳したＰｉｎＰ（Ｐｉｃｔｕｒｅ  ｉｎ  Ｐｉｃｔｕｒｅ）画像を生成し、表示モニタ２２０に表示させる。メインカメラ１７０Ｍ及び、サブカメラ１７０Ｓで動作させるフォーカスモードには、オートフォーカスモード（以下、「ＡＦモード」と称する）と、マニュアルフォーカスモード（以下、「ＭＦモード」と称する）がある。以下、デジタルビデオカメラ１００の構成および動作の詳細について説明する。デジタルビデオカメラ１００は撮像装置の一例である。
【００１４】
〔１．デジタルビデオカメラの電気的構成〕
図２は、デジタルビデオカメラ１００の電気的構成を示すブロック図である。デジタルビデオカメラ１００の電気的構成について図２を用いて説明する。
【００１５】
図２に示すように、デジタルビデオカメラ１００は、メインカメラ１７０Ｍ、サブカメラ１７０Ｓ、コントローラ１８０、画像処理部１６０、表示モニタ２２０、カードスロット１９０、内部メモリ２４０、操作部材２１０を備えている。
【００１６】
メインカメラ１７０Ｍは、光学系１１０Ｍ、レンズ駆動部１２０Ｍ、ＣＭＯＳイメージセンサ１４０Ｍ，Ａ／Ｄコンバータ（ＡＤＣ：Ａｎａｌｏｇ  Ｄｉｇｉｔａｌ  Ｃｏｎｖｅｒｔｅｒ）１５０Ｍを備えている。光学系１１０Ｍは、ズームレンズ１１１Ｍ、手振れ補正レンズ１１２Ｍ、フォーカスレンズ１１３Ｍ、絞り１１４Ｍを備えている。
【００１７】
ズームレンズ１１１Ｍは、光軸に沿って移動することより、被写体像の拡大、縮小をするレンズである。また、フォーカスレンズ１１３Ｍは、光軸に沿って移動することにより、被写体像のピントを調整するレンズである。また、手振れ補正レンズ１１２Ｍは、光学系１１０Ｍの光軸に垂直な面内で移動可能なレンズである。デジタルビデオカメラ１００のブレを打ち消す方向に手振れ補正レンズ１１２Ｍを移動することで、デジタルビデオカメラ１００のブレが撮像画像に与える影響を低減できる。また、絞り１１４Ｍは、使用者の設定に応じて若しくは自動で、開口部の大きさを調整し、透過する光の量を調整する。
【００１８】
レンズ駆動部１２０Ｍは、ズームレンズ１１１Ｍを駆動するズームアクチュエータや、手振れ補正レンズ１１２Ｍを駆動する手振れ補正アクチュエータや、フォーカスレンズ１１３Ｍを駆動するフォーカスアクチュエータや、絞り１１４Ｍを駆動する絞りアクチュエータを含む。そして、レンズ駆動部１２０Ｍは、コントローラ１８０からの制御信号に従って、光学系１１０Ｍに含まれるズームアクチュエータや、フォーカスアクチュエータや、手振れ補正アクチュエータや、絞りアクチュエータを制御する。
【００１９】
ＣＭＯＳイメージセンサ１４０Ｍは、光学系１１０Ｍで形成された被写体像を撮像して、画像データを生成する。ＣＭＯＳイメージセンサ１４０Ｍは、露光、転送、電子シャッタなどの各種動作を行う。ＡＤＣ１５０Ｍは、ＣＭＯＳイメージセンサ１４０Ｍで生成されたアナログ画像データをデジタル画像データに変換する。
【００２０】
サブカメラ１７０Ｓは、光学系１１０Ｓ、レンズ駆動部１２０Ｓ、ＣＭＯＳイメージセンサ１４０Ｓ、Ａ／Ｄコンバータ１５０Ｓを備えている。光学系１１０Ｓは、ズームレンズ１１１Ｓ、手振れ補正レンズ１１２Ｓ、フォーカスレンズ１１３Ｓ、絞り１１４Ｓを備えている。本実施の形態では、説明の簡単のために、サブカメラ１７０Ｓの各構成は、メインカメラ１７０Ｍの各構成（対応する構成には同じ番号を付している）と同様であるとし、詳細な説明は省略する。但し、サブカメラ１７０Ｓの各構成は、必ずしも、メインカメラ１７０Ｍの各構成と同一でなくてもよく、仕様に差があっても構わない。
【００２１】
画像処理部１６０は、メインカメラ１７０ＭのＣＭＯＳイメージセンサ１４０Ｍや、サブカメラ１７０ＳのＣＭＯＳイメージセンサ１４０Ｓで生成された画像データに対して各種処理を施し、表示モニタ２２０に表示するための画像データを生成したり、メモリカード２００に格納するための画像データを生成したりする。例えば、画像処理部１６０は、ＣＭＯＳイメージセンサ１４０Ｍ、１４０Ｓで生成された画像データに対して、ガンマ補正、ホワイトバランス補正、傷補正などの各種処理を行う。また、画像処理部１６０は、メインカメラ１７０ＭのＣＭＯＳイメージセンサ１４０Ｍで生成された画像データが示す画像に、サブカメラ１７０ＳのＣＭＯＳイメージセンサ１４０Ｓで生成された画像データが示す画像を重畳させたＰｉｎＰ画像を生成する。また、画像処理部１６０は、ＣＭＯＳイメージセンサ１４０Ｍ、１４０Ｓで生成された画像データを、Ｈ．２６４規格やＭＰＥＧ２規格に準拠した圧縮形式等により圧縮する。画像処理部１６０は、各種処理にあたって、適宜、バッファメモリ（不図示）を作業スペースとして使用する。画像処理部１６０は、ＤＳＰやマイコンなどで実現可能である。
【００２２】
コントローラ１８０は、デジタルビデオカメラ１００全体を制御する制御手段としての制御部である。コントローラ１８０は、制御動作のための演算にあたって、適宜、バッファメモリ（不図示）を作業スペースとして使用する。コントローラ１８０は、半導体素子などで実現できる。コントローラ１８０は、ハードウェアのみで構成してもよいし、ハードウェアとソフトウェアとを組み合わせることにより実現してもよい。コントローラ１８０は、マイコンなどで実現できる。
【００２３】
カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１６０で生成された画像ファイル等のデータを格納できる。
【００２４】
内部メモリ２４０は、フラッシュメモリや強誘電体メモリなどで構成される。内部メモリ２４０は、デジタルビデオカメラ１００全体を制御するための制御プログラム等を記憶する。
【００２５】
操作部材２１０は、使用者からの操作を受け付けるユーザーインターフェースの総称である。操作部材２１０は、例えば、十字釦、決定釦、操作ダイヤル、動画記録開始釦（動画記録停止釦を兼ねる）、静止画撮影のためのレリーズ釦、動画像データを再生開始／再生停止を指示するための動画再生釦等がこれにあたる。ユーザは、操作部材２１０（例えば操作ダイヤル）を操作することにより、メインカメラ１７０Ｍ及びサブカメラ１７０Ｓに対して、それぞれＭＦモード／ＡＦモードの切り替えを指示することができる。レリーズ釦は、半押し状態、全押し状態の２段階の状態を有する釦である。レリーズ釦が半押しされると、コントローラ１８０は、フォーカスレンズ１１３Ｍ、１１３Ｓを駆動して、合焦動作を開始する。半押し状態を経由して、レリーズ釦が全押しされると、ＣＭＯＳイメージセンサ１４０Ｍ、１４０Ｓで撮像している画像に基づく画像データのメモリカード２００への記録動作を開始する。
【００２６】
なお、操作部材２１０は、デジタルビデオカメラ１００の外装に備わるハードキーであってもよいし、表示モニタ２２０に表示された釦アイコンを、タッチパネルを介して操作させるソフトキーであってもよい。
【００２７】
表示モニタ２２０は、メインカメラ１７０ＭのＣＭＯＳイメージセンサ１４０Ｍやサブカメラ１７０ＳのＣＭＯＳイメージセンサ１４０Ｓで生成された画像データが示す画像や、メモリカード２００から読み出された画像データが示す画像を表示できる。表示モニタ２２０は、メインカメラ１７０Ｍにより撮影された画像をメイン画面として大きく表示し、サブカメラ１７０Ｓにより撮影された画像をサブ画面としてメイン画面の一部に小さく重畳したＰｉｎＰ画像を表示することもできる。
【００２８】
コントローラ１８０は、ユーザによりレリーズ釦が半押し操作された場合、上述のとおり、合焦動作を開始する。そして、表示モニタ２２０は、ＡＦモードに設定されたメインカメラ１７０Ｍ、サブカメラ１７０Ｓにおいて、合焦動作が実施中であることを示す合焦マーク、あるいは合焦動作が完了したことを示す合焦マークを表示する。なお、表示モニタ２２０は、デジタルビデオカメラ１００の各種設定を行うための各種メニュー画面等も表示できる。
【００２９】
〔２．デジタルビデオカメラの動作〕
続いて、デジタルビデオカメラ１００の静止画撮影動作について説明する。
【００３０】
デジタルビデオカメラ１００の電源がオン（ＯＮ）されると、コントローラ１８０は、デジタルビデオカメラ１００を構成する各部に必要な電力を供給する。電力の供給を受けて、光学系１１０Ｍ、１１０Ｓを構成する各レンズや、ＣＭＯＳイメージセンサ１４０Ｍ、１４０Ｓなどの構成は、動作可能な状態へと初期設定を完了させる。
【００３１】
デジタルビデオカメラ１００は、静止画或いは動画の撮影を行う撮影モードと、メモリカード２００に記録された画像の再生を行う再生モードとを有している。デジタルビデオカメラ１００が撮影モードに設定されているとき、デジタルビデオカメラ１００の電源ＯＮにともなって、ＣＭＯＳイメージセンサ１４０Ｍ、１４０Ｓは被写体像の撮像を開始する。これにより、表示モニタ２２０は、ＣＭＯＳイメージセンサ１４０Ｍ、１４０Ｓが生成した撮像データに基づくスルー画像の表示を開始する。ユーザは、表示モニタ２２０に表示されるスルー画像を見ながら、画角等を判断し、静止画記録の開始に好適なタイミングでレリーズ釦を押下する。
【００３２】
本実施の形態にかかるデジタルビデオカメラ１００では、メインカメラ１７０Ｍと、サブカメラ１７０Ｓとで、それぞれ独立してＡＦモード又はＭＦモードを設定することができる。従って、設定された内容に応じて、（１）メインカメラ１７０ＭがＡＦモード設定、サブカメラ１７０ＳがＡＦモード設定、（２）メインカメラ１７０ＭがＡＦモード設定、サブカメラ１７０ＳがＭＦモード設定、（３）メインカメラ１７０ＭがＭＦモード設定、サブカメラ１７０ＳがＡＦモード設定、（４）メインカメラ１７０ＭがＭＦモード設定、サブカメラ１７０ＳがＭＦモード設定、の４通りのパターンが考えられる。以下、図３〜図７を用いて、この４通りのパターンにおける動作及び、表示モニタ２２０の表示の遷移について順に説明する。
【００３３】
〔２−１．メインカメラがＡＦモード設定、サブカメラがＡＦモード設定〕
まず、メインカメラ１７０ＭがＡＦモード設定、サブカメラ１７０ＳがＡＦモード設定のときの動作及び、表示モニタ２２０の表示の遷移について、図３及び図４を用いて説明する。
【００３４】
図３は、デジタルビデオカメラ１００の静止画撮影時のフローチャートである。図４は、メインカメラ１７０Ｍによる撮影がＡＦモード、サブカメラ１７０Ｓによる撮影がＡＦモードのときの画面表示の遷移イメージ図である。
【００３５】
撮影モード時には、表示モニタ２２０は、図４の画面表示Ａに示すように、ＣＭＯＳイメージセンサ１４０Ｍ／１４０Ｓが生成した撮像データに基づくスルー画像を表示する。このとき、ＣＭＯＳイメージセンサ１４０Ｍが撮像した画像データに基づく画像をメインカメラ画像３００と呼ぶ。同様に、ＣＭＯＳイメージセンサ１４０Ｓが撮像した画像データに基づく画像をサブカメラ画像３１０と呼ぶ。図４の画面表示Ａに示すように、表示モニタ２２０は、サブカメラ画像３１０がメインカメラ画像３００に重畳したＰｉｎＰ画像を表示する。このとき、ＰｉｎＰ画像においてメインカメラ画像３００が占める面積は、サブカメラ画像３１０が占める面積よりも大きい。これにより、メインとなる被写体をメインカメラ画像３００として大きく表示させながらも、サブとなる被写体をサブカメラ画像３１０として表示して参照することができる。
【００３６】
コントローラ１８０は、レリーズ釦が半押しされたか否かを監視している(ステップＳ２０１)。レリーズ釦が半押し操作されるまでは、コントローラ１８０は、図４の画面表示Ａに示すようなスルー画像表示を継続する。このとき、メインカメラ１７０ＭはＡＦモード設定であり（ステップＳ２０２の「Ｙｅｓ」）、サブカメラ１７０ＳはＡＦモード設定である（ステップＳ２０３の「Ｙｅｓ」）。そのため、レリーズ釦が半押しされると、コントローラ１８０は、表示モニタ２２０の表示内容を、図４の画面表示Ａに示す表示内容から、図４の画面表示Ｂに示す表示内容へと移行させる。このとき、図４の画面表示Ｂに示すように、表示モニタ２２０は、合焦マーク３２０を白色表示して点滅表示し、メインカメラ合焦枠３３０を白色表示する（ステップＳ２０４）。
【００３７】
合焦マーク３２０を白色表示しての点滅表示は、ＡＦモード設定されているメインカメラ１７０Ｍ及びサブカメラ１７０Ｓの両者又は少なくとも一方が合焦動作中であること（合焦動作が完了していないこと）を示す表示である。ユーザは、合焦マーク３２０を白色表示しての点滅表示を視認することにより、ＡＦモード設定されているメインカメラ１７０Ｍ及びサブカメラ１７０Ｓの両者又は少なくとも一方が合焦動作中であることを把握することができる。合焦マーク３２０を白色表示しての点滅表示は、サブカメラ１７０Ｓの合焦動作に関する表示ではあるが、サブカメラ画像３１０上には表示されず、メインカメラ画像３００上に表示される。これにより、ユーザは、ＰｉｎＰ画像において、メインカメラ画像３００を見ているだけで、サブカメラ１７０Ｓが撮像している被写体像に対する合焦動作が完了した旨を把握することが可能となる。また、合焦マーク３２０を、サブカメラ画像３１０上ではなく、メインカメラ画像３００上に表示させることにより、比較的表示サイズの小さいサブカメラ画像３１０の視認性低下を回避することができる。
【００３８】
メインカメラ合焦枠３３０は、ＡＦモード設定されているメインカメラ１７０Ｍが、メインカメラ合焦枠３３０で囲った被写体に対して合焦動作中であること（合焦動作が完了していないこと）を示す表示である。ユーザは、白色表示されたメインカメラ合焦枠を視認することにより、ＡＦモード設定されているメインカメラ１７０Ｍが、メインカメラ合焦枠３３０で囲った被写体に対して合焦動作中であることを把握することができる。
【００３９】
コントローラ１８０は、レリーズ釦の半押し操作を受け付けた（ステップＳ２０１）ことに伴い、メインカメラ１７０Ｍのフォーカスレンズ１１３Ｍを駆動して、合焦動作を開始させる（ステップＳ２０５）。同様に、コントローラ１８０は、サブカメラ１７０Ｓのフォーカスレンズ１１３Ｓを駆動して、合焦動作を開始させる（ステップＳ２０６）。合焦動作の方式は、コントラスト方式であっても、位相差方式であっても、他の方式であってもよい。
【００４０】
コントローラ１８０は、メインカメラ１７０Ｍ及びサブカメラ１７０Ｓの合焦動作が両方完了しているかを監視する（ステップＳ２０７）。コントローラ１８０は、メインカメラ１７０Ｍ及びサブカメラ１７０Ｓの合焦動作が両方完了するまで、ステップＳ２０４からステップＳ２０６の動作ステップを繰り返し、図４の画面表示Ｂに示すようなスルー画像に点滅する合焦マーク３２０及びメインカメラ合焦枠３３０を重畳した表示を継続する（ステップＳ２０７の「Ｎｏ」）。
【００４１】
コントローラ１８０は、メインカメラ１７０Ｍ及びサブカメラ１７０Ｓの両方の合焦動作が完了したと判断した場合（ステップＳ２０７の「Ｙｅｓ」）、表示モニタ２２０の表示内容を、図４の画面表示Ｂに示す表示内容から、図４の画面表示Ｃに示す表示内容へと移行させる。このとき、図４の画面表示Ｃに示すように、表示モニタ２２０は、合焦マーク３２０を、白色表示の点滅表示から緑色表示の点灯表示へと移行させ（ステップＳ２０８）、メインカメラ合焦枠３３０を白色表示から緑色表示へと移行させる（ステップＳ２０９）。合焦マーク３２０の緑色表示の点灯表示は、メインカメラ１７０Ｍ及びサブカメラ１７０Ｓの両方の合焦動作が完了した旨を示している。そのため、この合焦マーク３２０を緑色で表示することにより、ユーザは合焦マーク３２０のみを参照すればメインカメラ１７０Ｍ及びサブカメラ１７０Ｓの両方の合焦動作が完了したことを容易に把握することができる。また、メインカメラ合焦枠３３０の緑色表示は、メインカメラ合焦枠３３０で囲った被写体に対して合焦動作が完了したことを示している。そのため、メインカメラ合焦枠３３０を緑色表示することにより、ユーザは、メインカメラ合焦枠３３０で囲った被写体に対して合焦動作完了したことを容易に把握することができる。
【００４２】
〔２−２．メインカメラがＡＦモード設定、サブカメラがＭＦモード設定〕
次に、メインカメラ１７０ＭがＡＦモード設定、サブカメラ１７０ＳがＭＦモード設定のときの動作及び、表示モニタ２２０の表示の遷移について、図３及び図５を用いて説明する。図５は、メインカメラ１７０Ｍによる撮影がＡＦモード、サブカメラ１７０Ｓによる撮影がＭＦモードのときの画面表示の遷移イメージ図である。
【００４３】
撮影モード時には、表示モニタ２２０は、図５の画面表示Ａに示すように、ＣＭＯＳイメージセンサ１４０Ｍ、１４０Ｓが生成した撮像データに基づくスルー画像を表示する。コントローラ１８０は、レリーズ釦が半押しされたか否かを監視している(ステップＳ２０１)。レリーズ釦が半押し操作されるまでは、コントローラ１８０は、図５の画面表示Ａに示すようなスルー画像表示を継続する。このとき、メインカメラ１７０ＭはＡＦモード設定であり（ステップＳ２０２の「Ｙｅｓ」）、サブカメラ１７０ＳはＭＦモード設定である（ステップＳ２０３の「Ｎｏ」）。そのため、レリーズ釦が半押しされると、コントローラ１８０は、表示モニタ２２０の表示内容を、図５の画面表示Ａに示す表示内容から、図５の画面表示Ｂに示す表示内容へと移行させる。このとき、図５の画面表示Ｂに示すように、表示モニタ２２０は、合焦マーク３２０を白色表示して点滅表示させ、メインカメラ合焦枠３３０を白色表示させる（ステップＳ２１０）。このとき、ＡＦモード設定であるのは、メインカメラ１７０Ｍのみであるため、合焦マーク３２０の点滅表示は、実質的に、メインカメラ１７０Ｍが合焦動作中であること（合焦動作が完了していないこと）を示している。コントローラ１８０は、レリーズ釦の半押し操作を受け付けた（ステップＳ２０１）ことに伴い、メインカメラ１７０Ｍのフォーカスレンズ１１３Ｍを駆動して、合焦動作を開始させる（ステップＳ２１１）。
【００４４】
コントローラ１８０は、メインカメラ１７０Ｍの合焦動作が完了しているかを監視する（ステップＳ２１２）。コントローラ１８０は、メインカメラ１７０Ｍの合焦動作が完了するまで、ステップＳ２１０からステップＳ２１１の動作ステップを繰り返し、図５の画面表示Ｂに示すようなスルー画像表示を継続する（ステップＳ２１２の「Ｎｏ」）。
【００４５】
コントローラ１８０は、メインカメラ１７０Ｍの合焦動作が完了したと判断した場合（ステップＳ２１２の「Ｙｅｓ」）、表示モニタ２２０の表示内容を、図５の画面表示Ｂに示す表示内容から、図５の画面表示Ｃに示す表示内容へと移行させる。このとき、図５の画面表示Ｃに示すように、表示モニタ２２０は、合焦マーク３２０を、白色表示の点滅表示から、緑色表示の点灯表示へと移行させ（ステップＳ２１３）、メインカメラ合焦枠３３０を白色表示から緑色表示へと移行させる（ステップＳ２１４）。
【００４６】
合焦マーク３２０の緑色表示の点灯表示は、メインカメラ１７０Ｍの合焦動作が完了した旨を示している。また、メインカメラ合焦枠３３０の緑色表示は、メインカメラ合焦枠３３０で囲った被写体に対して合焦動作が完了したことを示している。なお、サブカメラ１７０Ｓは、ＭＦモード設定であるため、ユーザによる操作部材２１０の操作に応じて、適宜、フォーカスレンズ１１３Ｓが駆動され、サブカメラ１７０Ｓが撮像対象とする被写体像のピントが調節される。
【００４７】
〔２−３．メインカメラがＭＦモード設定、サブカメラがＡＦモード設定〕
次に、メインカメラ１７０ＭがＭＦモード設定、サブカメラ１７０ＳがＡＦモード設定のときの動作及び、表示モニタ２２０の表示の遷移について、図３及び図６を用いて説明する。図６は、メインカメラ１７０Ｍによる撮影がＭＦモード、サブカメラ１７０Ｓによる撮影がＡＦモードのときの画面表示の遷移イメージ図である。
【００４８】
撮影モード時には、表示モニタ２２０は、図６の画面表示Ａに示すように、ＣＭＯＳイメージセンサ１４０Ｍ、１４０Ｓが生成した撮像データに基づくスルー画像を表示する。コントローラ１８０は、レリーズ釦が半押しされたか否かを監視している(ステップＳ２０１)。レリーズ釦が半押し操作されるまでは、コントローラ１８０は、図６の画面表示Ａに示すようなスルー画像表示を継続する。このとき、メインカメラ１７０ＭはＭＦモード設定であり（ステップＳ２０２の「Ｎｏ」）、サブカメラ１７０ＳはＡＦモード設定である（ステップＳ２１５の「Ｙｅｓ」）。そのため、レリーズ釦が半押しされると、コントローラ１８０は、表示モニタ２２０の表示内容を、図６の画面表示Ａに示す表示内容から、図６の画面表示Ｂに示す表示内容へと移行させる。このとき、図６の画面表示Ｂに示すように、表示モニタ２２０は、合焦マーク３２０を白色表示して点滅表示させ、メインカメラ合焦枠３３０を白色表示させる（ステップＳ２１６）。このとき、ＡＦモード設定であるのは、サブカメラ１７０Ｓのみであるため、合焦マーク３２０の点滅表示は、実質的に、サブカメラ１７０Ｓが合焦動作中であること（合焦動作が完了していないこと）を示している。コントローラ１８０は、レリーズ釦の半押し操作を受け付けた（ステップＳ２０１）ことに伴い、サブカメラ１７０Ｓのフォーカスレンズ１１３Ｓを駆動して、合焦動作を開始させる（ステップＳ２１７）。
【００４９】
コントローラ１８０は、サブカメラ１７０Ｓの合焦動作が完了しているかを監視する（ステップＳ２１８）。コントローラ１８０は、サブカメラ１７０Ｓの合焦動作が完了するまで、ステップＳ２１６からステップＳ２１７の動作を繰り返し、図６の画面表示Ｂに示すようなスルー画像表示を継続する（ステップＳ２１８の「Ｎｏ」）。
【００５０】
コントローラ１８０は、サブカメラ１７０Ｓの合焦動作が完了したと判断した場合（ステップＳ２１８の「Ｙｅｓ」）、表示モニタ２２０の表示内容を、図６の画面表示Ｂに示す表示内容から、図６の画面表示Ｃに示す表示内容へと移行させる。このとき、図６の画面表示Ｃに示すように、表示モニタ２２０は、合焦マーク３２０を、白色表示の点滅表示から、緑色表示の点灯表示へと移行させる（ステップＳ２２０）。一方、メインカメラ１７０ＭはＭＦモード設定であるため、メインカメラ合焦枠３３０は、白色表示を継続する。
【００５１】
合焦マーク３２０の緑色表示の点灯表示は、サブカメラ１７０Ｓの合焦動作が完了した旨を示している。合焦マーク３２０を緑色表示しての点灯表示は、サブカメラ１７０Ｓの合焦動作に関する表示ではあるが、サブカメラ画像３１０上には表示されず、メインカメラ画像３００上に表示される。これにより、ユーザは、ＰｉｎＰ画像において、メインカメラ画像３００を見ているだけで、サブカメラ１７０Ｓが撮像している被写体像に対する合焦動作が完了した旨を把握することが可能となる。また、合焦マーク３２０を、サブカメラ画像３１０上ではなく、メインカメラ画像３００上に表示させることにより、比較的表示サイズの小さいサブカメラ画像３１０の視認性低下を回避することができる。
【００５２】
なお、メインカメラ１７０Ｍは、ＭＦモード設定であるため、ユーザによる操作部材２１０の操作に応じて、適宜、フォーカスレンズ１１３Ｍが駆動され、メインカメラ１７０Ｍが撮像対象とする被写体像のピントが調節される。
【００５３】
〔２−４．メインカメラがＭＦモード設定、サブカメラがＭＦモード設定〕
最後に、メインカメラ１７０ＭがＭＦモード設定、サブカメラ１７０ＳがＭＦモード設定のときの動作及び、表示モニタ２２０の表示の遷移について、図３及び図７を用いて説明する。図７は、メインカメラ１７０Ｍによる撮影がＭＦモード、サブカメラ１７０Ｓによる撮影がＭＦモードのときの画面表示の遷移イメージ図である。
【００５４】
撮影モード時には、表示モニタ２２０は、図７の画面表示Ａに示すように、ＣＭＯＳイメージセンサ１４０Ｍ、１４０Ｓが生成した撮像データに基づくスルー画像を表示する。コントローラ１８０は、レリーズ釦が半押しされたか否かを監視している(ステップＳ２０１)。レリーズ釦が半押し操作されるまでは、コントローラ１８０は、図７の画面表示Ａに示すようなスルー画像表示を継続する。このとき、メインカメラ１７０ＭはＭＦモード設定であり（ステップＳ２０２の「Ｎｏ」）、サブカメラ１７０ＳはＭＦモード設定である（ステップＳ２１５の「Ｎｏ」）。そのため、レリーズ釦が半押しされると、コントローラ１８０は、表示モニタ２２０の表示内容を、図７の画面表示Ａに示す表示内容から、図７の画面表示Ｂに示す表示内容へと移行させる。このとき、図７の画面表示Ｂに示すように、表示モニタ２２０は、メインカメラ合焦枠３３０を白色表示させる（ステップＳ２２１）。また、メインカメラ１７０Ｍもサブカメラ１７０ＳもＭＦモード設定であるため、合焦動作中或いは、合焦動作完了の旨を示す合焦マーク３２０は表示されない。
【００５５】
メインカメラ１７０Ｍ及びサブカメラ１７０ＳはＭＦモード設定であるため、ユーザによる操作部材２１０の操作に応じて、適宜、フォーカスレンズ１１３Ｍや、フォーカスレンズ１１３Ｓが駆動され、メインカメラ１７０Ｍ及びサブカメラ１７０Ｓがそれぞれ撮像対象とする被写体像のピントが調節される。
【００５６】
上記〔２−１〕から〔２−３〕の場合では、合焦マーク３２０の表示を変更することで合焦動作の完了をユーザに通知する。いずれの場合においてもメインカメラ１７０Ｍ、サブカメラ１７０Ｓの合焦動作完了の旨を示すマークを合焦マーク３２０で統一することにより、ユーザは、すべてのカメラモジュールの合焦動作の完了を容易に把握することができる。
【００５７】
また、サブカメラ１７０Ｓによるサブカメラ画像３１０の表示をオフ（ＯＦＦ）にした場合、表示モニタ２２０は、メインカメラ１７０Ｍによるメインカメラ画像３００の表示を単独で行う。このとき、ＡＦモード設定されたメインカメラ１７０Ｍの合焦動作中或いは、合焦動作完了の旨を示すマークには、同じく合焦マーク３２０を用いる。すなわち、ユーザは、サブカメラ画像３１０の表示をＯＮにしているときも、ＯＦＦにしているときも、ＡＦモード設定されたカメラモジュールの合焦動作中或いは、合焦動作完了を把握するためには、合焦マーク３２０を参照する。これにより、ユーザは、サブカメラ画像３１０のＯＮ／ＯＦＦに影響されず、いずれの場合にも共通して表示される合焦マーク３２０を参照すれば良いため、設定内容に応じた紛らわしさを低減できる。
【００５８】
〔３．効果等〕
上記で説明してきたように、本実施の形態に係るデジタルビデオカメラ１００は、表示モニタ２２０と、被写体像を撮像して第１の画像データを生成するメインカメラ１７０Ｍと、被写体像を撮像して第２の画像データを生成するサブカメラ１７０Ｓと、コントローラ１８０とを備える。コントローラ１８０は、生成された第１の画像データが示す画像（メインカメラ画像）に生成された第２の画像データが示す画像（サブカメラ画像）を重畳した重畳画像（ＰｉｎＰ画像）を、表示モニタ２２０に表示させ、サブカメラ１７０Ｓが撮像している被写体像に対する合焦動作が完了した旨を、重畳画像（ＰｉｎＰ画像）において、第２の画像データが示す画像（サブカメラ画像）上ではなく、第１の画像データが示す画像（メインカメラ画像）上に表示させる。
【００５９】
これにより、ユーザは、重畳画像（ＰｉｎＰ画像）において、メインカメラ画像３００を見ているだけで、サブカメラ１７０Ｓが撮像している被写体像に対する合焦動作が完了した旨を把握することが可能となる。従って、複数のカメラモジュールを備えた撮像装置において、合焦動作が完了した旨を、ユーザにとって確認しやすい形態で報知することができる。
【００６０】
また、コントローラ１８０は、重畳画像（ＰｉｎＰ画像）において、生成された第２の画像データが示す画像（サブカメラ画像）が占める面積は、生成された第１の画像データが示す画像（メインカメラ画像）が占める面積よりも小さくなるよう、重畳画像（ＰｉｎＰ画像）を表示モニタ２２０に表示させる。
【００６１】
これにより、サブカメラ１７０Ｓが撮像している被写体像に対する合焦動作が完了した旨を表示する際、比較的表示面積の小さいサブカメラ画像３１０の視認性を低下させることを回避できるとともに、比較的表示面積の大きいメインカメラ画像３００の表示領域を有効活用することが可能となる。従って、複数のカメラモジュールを備えた撮像装置において、合焦動作が完了した旨を、ユーザにとって確認しやすい形態で報知することができる。
【００６２】
また、コントローラ１８０は、メインカメラ１７０Ｍが撮像している被写体像に対する合焦動作が行われている場合は、メインカメラ１７０Ｍが撮像している被写体像に対する合焦動作と、サブカメラ１７０Ｓが撮像している被写体像に対する合焦動作とが共に完了したときに、サブカメラ１７０Ｓが撮像している被写体像に対する合焦動作が完了した旨を表示させる。
【００６３】
これにより、ユーザは、メインカメラ１７０Ｍが撮像している被写体像に対する合焦動作と、サブカメラ１７０Ｓが撮像している被写体像に対する合焦動作とが共に完了したことを、容易に把握することが可能となる。従って、複数のカメラモジュールを備えた撮像装置において、合焦動作が完了した旨を、ユーザにとって確認しやすい形態で報知することができる。
【００６４】
〔４．他の実施の形態〕
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００６５】
上記実施の形態１では、光学系１１０Ｍ、１１０Ｓは、ズームレンズ１１１Ｍ、１１１Ｓ、手振れ補正レンズ１１２Ｍ、１１２Ｓ、フォーカスレンズ１１３Ｍ，１１３Ｓ、絞り１１４Ｍ、１１４Ｓを備えているとしたが、この構成は必須ではない。オートフォーカスを行うにあたって、少なくともフォーカスレンズ１１３Ｍ，１１３Ｓを備えていれば、本開示の技術を適用することが可能である。
【００６６】
上記実施の形態１では、ユーザは、操作部材２１０（例えば操作ダイヤル）を操作することにより、メインカメラ１７０Ｍ及びサブカメラ１７０Ｓに対してそれぞれのＭＦモード／ＡＦモードの切り替えを指示することができるとしたが、本開示はこれに限定されない。メインカメラ１７０ＭにＡＦモード／ＭＦモード設定の切り換えが存在しなくてもよく、サブカメラ１７０ＳにＡＦモード設定があればよい。
【００６７】
上記実施の形態１においては、サブカメラ１７０Ｓが合焦動作中或いは、合焦動作完了の旨を示す合焦マーク３２０は、サブカメラ画像３１０上ではなく、メインカメラ画像３００上に表示される。しかし、合焦マーク３２０が少なくとも、サブカメラ画像３１０上に表示されなければよく、図８に示すように、ＰｉｎＰ画像のサブカメラ画像３１０の枠自体を合焦マーク３２０とし、その枠の色等を変化させることにより合焦動作中（図８の画面表示Ｂ）或いは、合焦動作の完了（図８の画面表示Ｃ）を示してもよい。すなわち、サブカメラ１７０Ｓが撮像している被写体像に対する合焦動作が完了した旨を、重畳画像（ＰｉｎＰ画像）において、第２の画像データが示す画像（サブカメラ画像）上ではなく、第１の画像データが示す画像（メインカメラ画像）上に表示させる表示形態は、第２の画像データが示す画像と、第１の画像データが示す画像との境界表示の変更を含む。
【００６８】
また、サブカメラ１７０Ｓが合焦動作中或いは、合焦動作完了の旨を示す合焦マーク３２０を、サブカメラ画像３１０上ではなく、メインカメラ画像３００上でもなく、より視認性の高い画面上の任意の場所に表示してもよい。
【００６９】
上記実施の形態１では、レリーズ釦が半押しされたときに、円形状の合焦マーク３２０が白色表示で点滅表示し、矩形状のメインカメラ合焦枠３３０が白色表示する。また、合焦動作が完了したときに、合焦マーク３２０が緑色表示で点灯表示し、メインカメラ合焦枠３３０が緑色表示する。しかしながら、本開示はこれに限定されない。表示の色は、他の色を用いてもよいし、表示の形状は、他の形状を用いてもよい。すなわち、レリーズ釦が半押しされたとき、合焦動作が完了したときのタイミングに応じて、状態の変化を識別できる表示形態であれば、他の表示形態であってもよい。
【００７０】
上記実施の形態１では、デジタルビデオカメラ１００は、メインカメラ１７０Ｍ、サブカメラ１７０Ｓの２つのカメラモジュールを備えるが、３つ以上のカメラモジュールを備えてもよい。例えば、デジタルビデオカメラ１００は、メインカメラ１７０Ｍの他に、第１サブカメラ１７０Ｓ−１、第２サブカメラ１７０Ｓ−２を備えるようにしてもよい。このとき、表示モニタ２２０は、図９の画面表示Ａに示すように、メインカメラ１７０Ｍによるメインカメラ画像３００上に、第１サブカメラ１７０Ｓ−１による第１サブカメラ画像３４０と、第２サブカメラ１７０Ｓ−２による第２サブカメラ画像３５０とを重畳させたＰｉｎＰ画像が表示される。コントローラ１８０は、レリーズ釦の半押しを受け付けると、表示モニタ２２０の表示内容を、図９の画面表示Ａに示す表示内容から、図９の画面表示Ｂに示す表示内容へと移行させる。このとき、図９の画面表示Ｂに示すように、表示モニタ２２０は、合焦マーク３２０を白色表示して点滅表示させ、メインカメラ合焦枠３３０を白色表示させる。そして、ＡＦモード設定されているメインカメラ１７０Ｍ、第１サブカメラ１７０Ｓ−１、第２サブカメラ１７０Ｓ−２のすべての合焦動作が完了したと判断した場合、コントローラ１８０は、表示モニタ２２０の表示内容を、図９の画面表示Ｂに示す表示内容から、図９の画面表示Ｃに示す表示内容へと移行させる。このとき、図９の画面表示Ｃに示すように、表示モニタ２２０は、合焦マーク３２０を、白色表示の点滅表示から、緑色表示の点灯表示へと移行させ、メインカメラ合焦枠３３０を白色表示から緑色表示へと移行させる。
【００７１】
合焦マーク３２０を白色表示しての点滅表示は、ＡＦモード設定されているメインカメラ１７０Ｍ、第１サブカメラ１７０Ｓ−１、第２サブカメラ１７０Ｓ−２の少なくとも１つが合焦動作中であること（合焦動作が完了していないこと）を示す表示である。ユーザは、合焦マーク３２０を白色表示しての点滅表示を視認することにより、ＡＦモード設定されているメインカメラ１７０Ｍ、第１サブカメラ１７０Ｓ−１、第２サブカメラ１７０Ｓ−２の少なくとも１つが合焦動作中であることを把握することができる。また、合焦マーク３２０を緑色表示しての点灯表示は、ＡＦモード設定されているメインカメラ１７０Ｍ、第１サブカメラ１７０Ｓ−１、第２サブカメラ１７０Ｓ−２のすべての合焦動作が完了したことを示す表示である。ユーザは、合焦マーク３２０を緑色表示しての点灯表示を視認することにより、ＡＦモード設定されているメインカメラ１７０Ｍ、第１サブカメラ１７０Ｓ−１、第２サブカメラ１７０Ｓ−２のすべての合焦動作が完了したことを把握することができる。
【００７２】
合焦マーク３２０を白色表示しての点滅表示や、緑色表示しての点灯表示は、第１サブカメラ１７０Ｓ−１或いは、第２サブカメラ１７０Ｓ−２の合焦動作に関する表示ではあるが、第１サブカメラ画像３４０や、第２サブカメラ画像３５０上には表示されず、メインカメラ画像３００上に表示される。これにより、ユーザは、ＰｉｎＰ画像において、メインカメラ画像３００を見ているだけで、第１サブカメラ１７０Ｓ−１及び、第２サブカメラ１７０Ｓ−２が撮像している被写体像に対する合焦動作が完了した旨を把握することが可能となる。また、合焦マーク３２０を、比較的表示サイズの小さい第１サブカメラ画像３４０や、第２サブカメラ画像３５０上ではなく、メインカメラ画像３００上に表示させることにより、比較的表示サイズの小さい第１サブカメラ画像３４０や、第２サブカメラ画像３５０の視認性低下を回避することができる。
【００７３】
また、上記実施の形態１では、合焦動作が完了したときに、合焦マーク３２０が緑色表示の点灯表示に移行するが、合焦動作がタイムアウトした場合でも、合焦マーク３２０を緑色表示の点灯表示に移行させてもよい。
【００７４】
上記実施の形態１では、メインカメラ合焦枠３３０を表示する場合を例示したが、これは必須の構成ではない。図１０に示すように、合焦マーク３２０を単独で表示させてもよい。
【００７５】
上記実施の形態１では、合焦マーク３２０の白色表示の点滅表示は、ＡＦモード設定されているメインカメラ１７０Ｍ及びサブカメラ１７０Ｓの少なくとも一方が合焦動作中であること（合焦動作が完了していないこと）を示す表示である。また、合焦マーク３２０の緑色表示の点灯表示は、メインカメラ１７０Ｍ、サブカメラ１７０Ｓの合焦動作が完了した旨を示している。しかしながら、本開示はこれに限定されず、図１１に示すように、メインカメラ１７０Ｍが合焦動作中であること及び合焦動作が完了したことを示す合焦マーク３２０Ｍと、サブカメラ１７０Ｓが合焦動作中であること及び合焦動作が完了したことを示す合焦マーク３２０Ｓとを、それぞれ独立して表示するようにしてもよい。このとき、レリーズ釦の半押しを受け付けると、コントローラ１８０は、メインカメラ１７０Ｍが合焦動作中である旨を示す合焦マーク３２０Ｍと、サブカメラ１７０Ｓが合焦動作中である旨を示す合焦マーク３２０Ｓとを、それぞれ独立して表示モニタ２２０に表示させる。すなわち、コントローラ１８０は、表示モニタ２２０の表示内容を、図１１の画面表示Ａに示す表示内容から、図１１の画面表示Ｂに示す表示内容へと移行させる。そして、メインカメラ１７０Ｍ及びサブカメラ１７０Ｓのうち、合焦動作が完了したカメラモジュールに対応する合焦マーク３２０Ｍ、３２０Ｓを順に緑色表示の点灯表示へと遷移させる。すなわち、コントローラ１８０は、表示モニタ２２０の表示内容を、図１１の画面表示Ｂに示す表示内容から、図１１の画面表示Ｃに示す表示内容へと移行させた後、続いて図１１の画面表示Ｄに示す表示内容へと移行させる。このとき、サブカメラ１７０Ｓが合焦動作中である旨を示す合焦マーク３２０Ｓは、サブカメラ画像３１０上ではなく、メインカメラ画像３００上に表示される。これにより、ユーザは、メインカメラ画像３００を視認するだけで、サブカメラ１７０Ｓの合焦動作の状況を把握することができる。また、合焦マーク３２０Ｍ、３２０Ｓを、サブカメラ画像３１０上ではなく、メインカメラ画像３００上に表示させることにより、比較的表示サイズの小さいサブカメラ画像３１０の視認性低下を回避することができる。
【００７６】
上記実施の形態１では、サブカメラ１７０Ｓの合焦動作に関する情報をメインカメラ画像３００上に表示したが、本開示はこれに限定されない。合焦動作に関する情報に限らず、サブカメラ１７０Ｓに関する他の情報をサブカメラ画像３１０以外のメインカメラ画像３００上に表示してもよい。他の情報としては、例えば、自動露出や自動ホワイトバランス補正に関する情報がある。例えば、自動露出に関する情報であれば、デジタルビデオカメラ１００のレリーズ釦が半押しされると、自動露出マークをメインカメラ画像３００上に表示し、メインカメラ１７０Ｍ及びサブカメラ１７０Ｓが自動露出動作中から自動露出完了になると、自動露出マークの表示を変更するようにすることができる。
【００７７】
また、上記実施の形態１では、サブカメラ１７０Ｓが合焦動作中から合焦動作完了になると、合焦マーク３２０の表示を白色点滅表示から緑色の点灯表示に切り替わるが、本開示はこれに限定されない。サブカメラ１７０Ｓに関する情報として、例えば、ＡＦモード、自動露出、自動ホワイトバランス補正などの各設定がされているか否かについての情報を、単に、サブカメラ画像３１０以外のメインカメラ画像３００上に表示してもよい。
【００７８】
また、上記実施の形態１では、図１に示すように、メインカメラ１７０Ｍは筐体１７１の被写体側に配置され、サブカメラ１７０Ｓは筐体１７１と反対側の表示モニタ２２０の端部に配置されるが、本開示はこれに限定されない。メインカメラ１７０Ｍ及びサブカメラ１７０Ｓは、図１２（Ａ）に示す３Ｄ撮影用の撮像装置４００の複眼カメラ４１０Ｍ、４１０Ｓのように、筐体の被写体側に横並びに配置されてもよい。また、図１２（Ｂ）及び（Ｃ）に示す携帯電話或いはスマートフォンのような撮像装置５００のように、インカメラ５１０Ｓとアウトカメラ５１０Ｍの方式でもよい。
【００７９】
また、上記実施の形態１では、表示モニタ２２０、メインカメラ１７０Ｍ、サブカメラ１７０Ｓ及びコントローラ１８０がデジタルビデオカメラ１００に一体的に組まれているが、本開示はこれに限定されない。表示モニタ２２０、メインカメラ１７０Ｍ、サブカメラ１７０Ｓ及びコントローラ１８０のうち少なくとも一つが独立した単位となっていて、これらが有線又は無線接続されて組み合わされた撮像システムにも、本開示は適用可能である。
【００８０】
例えば、図１２（Ｂ）及び（Ｃ）に示す撮像装置５００のアウトカメラ５１０Ｍ又はインカメラ５１０Ｓで撮影した画像データを無線通信でデジタルビデオカメラ１００に送信し、受信したその画像データをデジタルビデオカメラ１００の表示モニタ２２０にサブカメラ画像として重畳表示してもよい。この場合、撮像装置５００で撮影した画像を、図４に示すサブカメラ画像３１０のように表示してもよいし、図９に示す第２サブカメラ画像３５０のように表示することもできる。また、この場合、デジタルビデオカメラ１００は必ずしもサブカメラ１７０Ｓを備える必要はない。
【００８１】
以上のように、本開示における技術の例示として、実施の形態を説明した。そのために、添付図面および詳細な説明を提供した。
【００８２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８３】
また、上述の実施の形態は、本開示における技術を例示するためのものであるから、請求の範囲またはその均等の範囲において種々の変更、置き換え、付加、省略などを行うことができる。
【産業上の利用可能性】
【００８４】
本開示は、デジタルビデオカメラや、デジタルスチルカメラや、カメラ機能付携帯電話や、カメラ機能付スマートフォン等に適用できる。
【符号の説明】
【００８５】
１００    デジタルビデオカメラ
１１０Ｍ，１１０Ｓ    光学系
１１１Ｍ，１１１Ｓ    ズームレンズ
１１２Ｍ，１１２Ｓ    手振れ補正レンズ
１１３Ｍ，１１３Ｓ    フォーカスレンズ
１１４Ｍ，１１４Ｓ    絞り
１２０Ｍ，１２０Ｓ    レンズ駆動部
１４０Ｍ，１４０Ｓ    ＣＭＯＳイメージセンサ
１５０Ｍ，１５０Ｓ    Ａ／Ｄコンバータ
１６０    画像処理部
１７０Ｍ    メインカメラ
１７０Ｓ    サブカメラ
１８０    コントローラ
１９０    カードスロット
２００    メモリカード
２１０    操作部材
２２０    表示モニタ
２４０    内部メモリ
３００    メインカメラ画像
３１０    サブカメラ画像
３２０，３２０Ｍ，３２０Ｓ    合焦マーク
３３０    メインカメラ合焦枠
３４０    第１サブカメラ画像
３５０    第２サブカメラ画像
４００，５００    撮像装置
４１０Ｍ，４１０Ｓ    複眼カメラ
５１０Ｍ    アウトカメラ
５１０Ｓ    インカメラ
【要約】
【課題】複数のカメラモジュールを備えた撮像装置において、合焦動作が完了した旨を、ユーザにとって確認しやすい形態で報知することを目的とする。
【解決手段】上記課題を解決するために、本開示の撮像装置は、表示部と、被写体像を撮像して第１の画像データを生成する第１の撮像部と、被写体像を撮像して第２の画像データを生成する第２の撮像部と、制御部と、を備える。制御部は、第１の画像データが示す画像に第２の画像データが示す画像を重畳した重畳画像を少なくとも含む表示画像を、表示部に表示させ、第１の撮像部が撮像している被写体像に対する合焦動作に関する情報及び第２の撮像部が撮像している被写体像に対する合焦動作に関する情報を、重畳画像を少なくとも含む表示画像において、第２の画像データが示す画像上以外の位置に表示させる。
【選択図】図４【図１】
0005914900.tif 000002
【図２】
0005914900.tif 000003
【図３】
0005914900.tif 000004
【図４】
0005914900.tif 000005
【図５】
0005914900.tif 000006
【図６】
0005914900.tif 000007
【図７】
0005914900.tif 000008
【図８】
0005914900.tif 000009
【図９】
0005914900.tif 000010
【図１０】
0005914900.tif 000011
【図１１】
0005914900.tif 000012
【図１２】
0005914900.tif 000013